(57)【特許請求の範囲】
【請求項１】
ＡＣアダプタによる充電及び所定周波数の電磁波による非接触充電が可能な充電池及び当該充電池を搭載可能な機器本体部を備える電子機器であって、
前記充電池は、
外部機器から前記所定周波数の電磁波を受信し、受信した電磁波を用いて電磁誘導により電力を発生させる受信用コイルと、
前記受信用コイルにより発生された前記電力に所定の処理を行う回路部と、
前記回路部により前記所定の処理が行われた前記電力を蓄積する蓄電セルと、
前記蓄電セルに接続され、電源電圧を供給可能な電池側電源端子と、
前記蓄電セルに接続される電池側識別端子であって、自身に印加された電圧値により、前記充電池と前記機器本体部との接続を許可しない状態、ＡＣ電源のみによる充電を行う状態、及び非接触充電による充電のみを行う状態のうち、いずれの状態に切り替えるかを識別するために使用される電池側識別端子と、
電池側グランド端子と、を有し、
前記機器本体部は、
前記電池側電源端子と接続される機器側電源端子と、
前記電池側識別端子と接続される機器側識別端子と、
前記電池側グランド端子及びグランド部と接続される機器側グランド端子と、を備える電子機器。
【請求項２】
前記電圧値が第１閾値よりも高いときに、自身における電圧値により、前記充電池と前記機器本体部との接続を許可しない状態と識別され、前記第１閾値よりも低くかつ第２閾値よりも高いときにＡＣ電源のみによる充電を行う状態と識別され、前記第２閾値よりも低いときに非接触充電による充電のみを行う状態と識別される請求項１記載の電子機器。
【発明の詳細な説明】
【技術分野】
【０００１】
本発明は、非接触充電を行う電子機器に関する。
【背景技術】
【０００２】
近年、携帯電話機等の電子機器の充電方法において、従来のＡＣアダプタやＵＳＢ等を使用した有線による充電方法に加えて、非接触による充電方法について様々な手法が提案されている（例えば、特許文献１参照）。
【０００３】
特許文献１に記載の電子機器は、充電池の蓋部に非接触充電に用いられる整流回路及びコイルを備えている。
【０００４】
このような非接触充電の一手法として、非接触充電に用いられるコイルや回路等を充電池内に設ける技術が提案されている。この手法を用いた場合、充電池単体での非接触充電が可能となるが、電子機器本体に非接触充電しているか否かを通知する必要がある。そのため、充電池及び電子機器本体は、電源端子、識別端子及びグランド端子に加えて、非接触充電の通知用の端子を備えている必要があった。
【先行技術文献】
【特許文献】
【０００５】
【特許文献１】特開２００６−３１１７１２号公報
【発明の概要】
【発明が解決しようとする課題】
【０００６】
しかし、充電池及び電子機器本体に電源端子、識別端子、グランド端子及び非接触充電の通知用の端子を設けた場合、電子機器の筐体内の設計の自由度が損なわれる場合があった。
【０００７】
本発明は、非接触充電に用いられる端子の数を削減すると共に、より効率的に充電を行うことができる電子機器を提供することを目的とする。
【課題を解決するための手段】
【０００８】
本発明は、ＡＣアダプタによる充電及び所定周波数の電磁波による非接触充電が可能な充電池であって、外部機器から前記所定周波数の電磁波を受信し、受信した電磁波を用いて電磁誘導により電力を発生させる受信用コイルと、前記受信用コイルにより発生された前記電力に所定の処理を行う回路部と、前記回路部により前記所定の処理が行われた前記電力を蓄積する蓄電セルと、前記蓄電セルに接続され、電源電圧を供給可能な電池側電源端子と、前記蓄電セルに接続され、前記充電池との接続を識別するための識別電圧を供給可能であると共に、前記回路部に接続され、非接触充電を識別するための非接触充電識別電圧を供給可能な電池側識別端子と、電池側グランド端子と、前記回路部からの前記非接触充電識別電圧を前記電池側識別端子に供給可能にするＯＮ状態と、前記非接触充電識別電圧を前記電池側識別端子に供給しないＯＦＦ状態とを切り替える電池側切替部と、を有する充電池と、前記電池側電源端子と接続される機器側電源端子と、前記電池側識別端子と接続され、前記識別電圧による前記充電池との接続の識別及び前記非接触充電識別電圧による前記非接触充電の識別に用いられる機器側識別端子と、前記電池側グランド端子及びグランド部と接続される機器側グランド端子と、を備える電子機器に関する。
【０００９】
また、前記電子機器は、前記ＡＣアダプタと前記機器側電源端子及び電子機器本体との接続を切り替える第１切替部と、前記機器側電源端子と前記電子機器本体との接続を切り替える第２切替部と、前記ＡＣアダプタにより充電する際の充電電流値、前記所定周波数の電磁波により非接触充電する際の非接触充電電流値、及び前記機器側識別端子により供給される前記識別電圧及び前記非接触充電識別電圧の値に基づいて、前記第１切替部及び前記第２切替部を切り替えるように制御する充電制御部と、を備えることが好ましい。
【００１０】
また、前記充電制御部は、前記機器側識別端子により供給される前記非接触充電識別電圧の値が第１閾値以上である場合には、前記第１切替部及び前記第２切替部をＯＦＦ状態に切り替えて、前記ＡＣアダプタによる充電及び前記所定周波数の電磁波による非接触充電を行わせないように制御することが好ましい。
【００１１】
また、前記充電制御部は、前記機器側識別端子により供給される前記非接触充電識別電圧の値が前記第１閾値未満であり、かつ前記第１閾値よりも小さい第２閾値以上である場合には、前記第１切替部及び前記第２切替部をＯＮ状態に切り替えて、前記ＡＣアダプタによる充電を行うように制御することが好ましい。
【００１２】
また、前記充電制御部は、前記機器側識別端子により供給される前記非接触充電識別電圧の値が前記第２閾値未満である場合には、前記第１切替部をＯＦＦ状態に切り替え、かつ前記第２切替部をＯＮ状態に切り替えて、前記所定周波数の電磁波による非接触充電を行うように制御することが好ましい。
【００１３】
また、前記充電制御部は、前記充電電流値と前記非接触充電電流値との和が第３閾値を超える場合には、前記第１切替部をＯＦＦ状態に切り替え、かつ前記第２切替部をＯＮ状態に切り替えて、前記所定周波数の電磁波による非接触充電を行うように制御することが好ましい。
【００１４】
また、前記充電制御部は、前記充電電流値と前記非接触充電電流値との和が前記第３閾値を超える場合には、前記第１切替部及び前記第２切替部をＯＮ状態に切り替えて、前記ＡＣアダプタによる充電を行うように制御することが好ましい。
【００１５】
また、前記充電制御部は、前記充電電流値と前記非接触充電電流値との和が前記第３閾値を超えない場合には、前記第１切替部及び前記第２切替部をＯＮ状態に切り替え、前記所定周波数の電磁波による非接触充電及び前記ＡＣアダプタによる充電を行うと共に、前記所定周波数の電磁波による非接触充電及び前記ＡＣアダプタによる充電のいずれかを制限するように制御することが好ましい。
【００１６】
また、前記充電制御部は、前記充電電流値と前記非接触充電電流値との和が前記第３閾値を超えない場合には、前記第１切替部及び前記第２切替部をＯＮ状態に切り替えて、前記ＡＣアダプタによる充電及び前記所定周波数の電磁波による非接触充電を行うように制御することが好ましい。
【発明の効果】
【００１７】
本発明によれば、非接触充電に用いられる端子の数を削減すると共に、より効率的に充電を行うことができる電子機器を提供することを目的とする。
【図面の簡単な説明】
【００１８】
【図１】本発明に係る電子機器の一例である携帯電話機の外観斜視図である。
【図２】操作部側筐体の一部を分解した分解斜視図である。
【図３】携帯電話機の機能を示す機能ブロック図である。
【図４】充電池及び充電池と関連する携帯電話機の構成について示す回路図である。
【図５】機器側識別端子により供給される電圧値と、充電池が充電可能な期間との関係を示すグラフである。
【図６】充電制御部の処理について示すフローチャートである。
【発明を実施するための形態】
【００１９】
＜第１実施形態＞
以下、本発明に係る電子機器の第１実施形態である携帯電話機１について図１から図３を用いて説明する。なお、本実施形態においては、図１に示すように、いわゆる折り畳み型の携帯電話機１の形態を示しているが、本発明に係る携帯電話機１の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部３１とが１つの筐体に配置され、連結部を有さない形式（ストレートタイプ、フリップタイプ）でもよい。
【００２０】
携帯電話機１は、図１に示すように、操作部側筐体２と、表示部側筐体３と、を備える。操作部側筐体２は、表面部１０に、操作キー群１１と、ユーザが通話時に発した音声が入力される後述する音声入力部１２と、を備える。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５とから構成されている。
【００２１】
また、表示部側筐体３は、表面部３０に、各種情報を表示するための後述する表示部３１と、通話の相手側の音声を出力する後述する音声出力部３２とを備える。
【００２２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とが折り畳まれた状態（折畳み状態）にしたりできる。
【００２３】
操作部側筐体２は、図２に示すように、回路基板４０と、リアケース部２１と、充電可能な電池である後述する充電池４２と、電池パックカバー２３とによって構成されている。
【００２４】
回路基板４０は、後述する制御部６０等の電子部品が実装されており、表面部１０上の操作キー群１１がユーザにより操作が行われたときに、所定の信号が制御部６０に供給される。また、回路基板４０には、電池端子として後述する機器側電源端子５３ａ、機器側識別端子５３ｂ及び機器側グランド端子５３ｃが実装されている。
【００２５】
リアケース部２１は、所定の使用周波数帯により通信を行うアンテナ４１を収納するアンテナ収納部２４と、充電池４２を格納する電池パック格納部２２とを備えている。
【００２６】
また、携帯電話機１は、図３に示すように、アンテナ４１と、ＲＦ回路部５２と、操作キー群１１と、表示部３１と、音声入力部１２と、音声出力部３２と、制御部６０と、メモリ３６と、充電池４２とを備える。
【００２７】
アンテナ４１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であってもよい。また、アンテナ４１は、所定の使用周波数帯の他に、他の使用周波数帯（例えば、２ＧＨｚ）に対応できる、いわゆるデュアルバンド対応型による構成であってもよいし、さらに、３つ以上の使用周波数帯にも対応できる複数バンド対応型により構成されていてもよい。
【００２８】
ＲＦ回路部５２は、アンテナ４１によって受信した信号をローノイズアンプにより増幅し、増幅後の信号を復調処理し、処理後の信号を制御部６０に供給し、また、制御部６０から供給された信号を変調処理し、変調処理後の信号をパワーアンプにより増幅し、増幅後の信号をアンテナ４１から外部装置（基地局）に送信する。
【００２９】
表示部３１は、例えば、液晶ディスプレイ（Ｌｉｑｕｉｄ  Ｃｒｙｓｔａｌ  Ｄｉｓｐｌａｙ）として構成される。
【００３０】
音声入力部１２は、通話音声等を入力可能なマイクにより構成される。
音声出力部３２は、通話音声等を出力可能なスピーカにより構成され、本実施形態においては、ユーザに対して充電池４２の残量を聴覚的に報知するように構成してもよい。
【００３１】
制御部６０は、中央演算処理装置等で構成され、携帯電話機１全体を制御する。制御部６０は、例えば、充電池４２に対して所定の制御を行う充電制御部６１を有する。
メモリ３６は、不揮発性記憶媒体であって、各種データを記憶する。
【００３２】
充電池４２は、後述するＡＣアダプタ１００（図４参照）及び非接触充電器（図示せず）により複数回充電可能に構成される。本実施形態において、充電池４２は、例えば、リチウムイオン電池が用いられる。また、充電池４２は、使用状態において、回路基板４０に実装される電池端子としての機器側電源端子５３ａ、機器側識別端子５３ｂ及び機器側グランド端子５３ｃ（いずれも図４参照）と接続される。
【００３３】
図４は、充電池４２及び充電池４２と関連する携帯電話機１の本体１ａ（以下、携帯電話機本体１ａという）の構成について示す回路図である。図４に示すように、充電池４２は、電池側電源端子４３ａと、電池側識別端子４３ｂと、電池側グランド端子４３ｃと、電池セル４４と、保護回路４５と、回路部４６と、非接触充電用コイル４７と、ＦＥＴ４８と、サーミスタ４９と、抵抗Ｒ１と、を備える。
【００３４】
携帯電話機本体１ａは、機器側電源端子５３ａと、機器側識別端子５３ｂと、機器側グランド端子５３ｃと、トランジスタ（Ｔｒ）５４と、ＦＥＴ５５と、充電制御部６１と、抵抗Ｒ１，Ｒ２，Ｒ３と、サーミスタ５６と、を備える。
【００３５】
電池側電源端子４３ａは、機器側電源端子５３ａと接続可能である。電池側電源端子４３ａは、電池セル４４及び回路部４６と接続される。電池側電源端子４３ａは、電池セル４４からの電源電圧を、携帯電話機本体１ａに供給する。
【００３６】
電池側識別端子４３ｂは、機器側識別端子５３ｂと接続可能である。電池側識別端子４３ｂは、抵抗Ｒ４及び保護回路４５を介して、電池セル４４と接続される。また、電池側識別端子４３ｂは、ＦＥＴ４８を介して、回路部４６と接続される。電池側識別端子４３ｂは、電池セル４４に接続され、充電池４２との接続を識別する識別電圧を機器側識別端子５３ｂに供給可能である。また、電池側識別端子４３ｂは、回路部４６に接続され、非接触充電を識別する非接触充電識別電圧を機器側識別端子５３ｂに供給可能である。
【００３７】
電池側グランド端子４３ｃは、機器側グランド端子５３ｃと接続可能である。電池側グランド端子４３ｃは、保護回路４５と接続される。
【００３８】
電池セル４４は、正極側が電池側電源端子４３ａ及び回路部４６と接続され、負極側が保護回路４５と接続される。電池セル４４は、非接触充電用コイル４７で発生し、回路部４６により所定の処理が行われた電力を蓄積する。また、電池セル４４は、電池側電源端子４３ａを介して、携帯電話機本体１ａへ給電し、かつＡＣアダプタ１００から電力の供給を受ける。
【００３９】
保護回路４５は、一端側が電池セル４４の負極側と接続され、他端側が抵抗Ｒ４及び電池側グランド端子４３ｃと接続される。保護回路４５は、電池セル４４を過充電等から保護するために設けられる。
【００４０】
回路部４６は、電池セル４４の正極側、ＦＥＴ４８のゲート側、サーミスタ４９及び非接触充電用コイル４７と接続される。回路部４６は、整流回路、制御回路等で構成される。回路部４６は、非接触充電用コイル４７により発生された電力に、整流等の所定の処理を行う。
【００４１】
非接触充電用コイル４７は、非接触充電を行うための外部機器から所定周波数の電磁波を受信し、受信した電磁波を用いて電磁誘導により電力を発生させる。
ＦＥＴ４８は、回路部４６からの非接触充電識別電圧を電池側識別端子４３ｂに供給可能にするＯＮ状態と、非接触充電識別電圧を電池側識別端子４３ｂに供給しないＯＦＦ状態とを回路部４６の制御に従い、切り替える。
【００４２】
機器側電源端子５３ａは、電池側電源端子４３ａと接続可能である。機器側電源端子５３ａは、ＦＥＴ５５を介して、トランジスタ５４のコレクタ側及び携帯電話機本体１ａのシステム側回路部６３と接続される。ここで、システム側回路部６３は、回路基板４０や制御部６０等を含んで構成される。
【００４３】
機器側識別端子５３ｂは、電池側識別端子４３ｂと接続可能である。機器側識別端子５３ｂは、充電制御部６１内のＡＤコンバータ６２と接続される。機器側識別端子５３ｂは、電池側識別端子４３ｂと接続され、充電池４２との接続を識別する識別電圧による充電池４２との接続の識別のために用いられる。また、機器側識別端子５３ｂは、非接触充電識別電圧による非接触充電の識別のためにも用いられる。
【００４４】
機器側識別端子５３ｂと充電制御部６１との間の導線には、抵抗Ｒ１及びＲ２が設けられる。また、ＡＤコンバータ６２は、抵抗Ｒ３及びサーミスタ５６と接続される。
機器側グランド端子５３ｃは、グランドと接続され、かつ電池側グランド端子４３ｃと接続可能である。
【００４５】
トランジスタ５４は、エミッタ側が外部電源であるＡＣアダプタ１００と接続され、コレクタ側がＦＥＴ５５及び携帯電話機本体１ａのシステム側回路部６３と接続され、ベース側が充電制御部６１と接続される。
トランジスタ５４は、ＡＣアダプタ１００と機器側電源端子５３ａ及び携帯電話機本体１ａとが接続されるＯＮ状態と、ＡＣアダプタ１００と機器側電源端子５３ａ及び携帯電話機本体１ａとが接続されないＯＦＦ状態とを充電制御部６１の制御に従い、切り替える。
【００４６】
ＦＥＴ５５は、ソース側が機器側電源端子５３ａと接続され、ドレイン側が携帯電話機本体１ａのシステム側回路部６３と接続され、ゲート側が充電制御部６１と接続される。
ＦＥＴ５５は、機器側電源端子５３ａと携帯電話機本体１ａのシステム側回路部６３とが接続されるＯＮ状態と、機器側電源端子５３ａと携帯電話機本体１ａのシステム側回路部６３とが接続されないＯＦＦ状態とを充電制御部６１の制御に従い、切り替える。
【００４７】
充電制御部６１は、ＡＣアダプタ１００により充電する際の充電電流値、所定周波数の電磁波により非接触充電する際の非接触充電電流値、及び機器側識別端子５３ｂにより供給される識別電圧及び非接触充電識別電圧値に基づいて、トランジスタ５４及びＦＥＴ５５を切り替えるように制御する。
【００４８】
具体的には、充電制御部６１は、機器側識別端子５３ｂにより供給される識別電圧及び非接触充電識別電圧値が第１閾値Ｃ以上である場合には、トランジスタ５４及びＦＥＴ５５をＯＦＦ状態に切り替えて、ＡＣアダプタ１００による充電及び非接触充電を行わせないように制御する。
【００４９】
また、充電制御部６１は、機器側識別端子５３ｂにより供給される電圧値が第１閾値Ｃ未満であり、かつ第１閾値Ｃよりも小さい第２閾値Ｄ以上である場合には、トランジスタ５４及びＦＥＴ５５をＯＮ状態に切り替えて、ＡＣアダプタ１００による充電を行うように制御する。
【００５０】
また、充電制御部６１は、機器側識別端子５３ｂにより供給される電圧値が第２閾値Ｄ未満である場合には、トランジスタ５４をＯＦＦ状態に切り替え、かつＦＥＴ５５をＯＮ状態に切り替えて、所定周波数の電磁波による非接触充電を行うように制御する。
【００５１】
図５は、機器側識別端子５３ｂにより供給される電圧値と、充電池４２が充電可能な期間との関係を示すグラフである。図５（ａ）は、ＡＣアダプタ１００による充電又は非接触充電のいずれかのみを行う場合のグラフであり、図５（ｂ）は、上述した制御を適用して、ＡＣアダプタ１００による充電及び非接触充電を行う場合のグラフである。
【００５２】
図５（ａ）に示すように、ＡＣアダプタ１００による充電又は非接触充電のいずれかのみを行うため、充電可能な（充電が許可される）期間が閾値Ａから閾値Ｂまでの間のみである。
【００５３】
一方、図５（ｂ）に示すように、充電制御部６１は、機器側識別端子５３ｂにより供給される電圧値が第２閾値Ｄ未満である場合には、トランジスタ５４をＯＦＦ状態に切り替え、かつＦＥＴ５５をＯＮ状態に切り替えて、所定周波数の電磁波による非接触充電を行うように制御するため、図５（ａ）の場合に比べて、充電可能な期間が増加する。
【００５４】
図６は、充電制御部６１の処理について示すフローチャートである。なお、初期状態では、充電制御部６１は、トランジスタ５４をＯＦＦ状態に切り替え、かつＦＥＴ５５をＯＮ状態に切り替えているものとする。
【００５５】
ステップＳ１において、充電制御部６１は、電圧値ＶＣＨＧを検出する。これにより、充電制御部６１は、携帯電話機１にＡＣアダプタ１００が接続されたことを検出する。
ステップＳ２において、充電制御部６１は、機器側識別端子５３ｂにより供給される電圧値が第１閾値Ｃ未満であるか否かを判定する。第１閾値Ｃ未満である場合（ＹＥＳ）には、ステップＳ３へ進む。第１閾値Ｃ以上である場合（ＮＯ）には、ステップＳ１へ戻る。
【００５６】
ステップＳ３において、充電制御部６１は、機器側識別端子５３ｂにより供給される電圧値が第２閾値Ｄ未満であるか否かを判定する。第２閾値Ｄ未満である場合（ＹＥＳ）には、ステップＳ６へ進む。第２閾値Ｄ以上である場合（ＮＯ）には、ステップＳ４へ進む。
【００５７】
ステップＳ４において、充電制御部６１は、トランジスタ５４及びＦＥＴ５５をＯＮ状態に切り替える。
ステップＳ５において、充電池４２は、ＡＣアダプタ１００による充電が開始され、処理を終了する。
【００５８】
ステップＳ６において、充電制御部６１は、トランジスタ５４をＯＦＦ状態に切り替え、かつＦＥＴ５５をＯＮ状態に切り替える。
ステップＳ７において、充電池４２は、非接触充電による充電が開始され、処理を終了する。
【００５９】
このように本実施形態によれば、携帯電話機１は、機器側電源端子５３ａ、機器側識別端子５３ｂ及び機器側グランド端子５３ｃの３つの端子により、充電池４２の接続の識別及び非接触充電の識別が可能となる。したがって、携帯電話機１は、例えば、電源端子、識別端子、グランド端子及び非接触識別用端子の４つの端子を備え、識別端子により充電池４２の接続を識別し、非接触識別用端子により非接触充電の識別する場合に比べて、製造コスト及び回路基板４０内の部品を実装するためのスペースを低減できる。
【００６０】
また、携帯電話機１は、ＡＣアダプタ１００により充電する際の充電電流値、所定周波数の電磁波により非接触充電する際の非接触充電電流値、及び機器側識別端子５３ｂにより供給される識別電圧及び非接触充電識別電圧値に基づいて、トランジスタ５４及びＦＥＴ５５を切り替えるように制御する。これにより、携帯電話機１は、ＡＣアダプタ１００による充電及び非接触充電を使用状況に応じて切り替えることができるため、より効率的に充電池４２の充電を行うことができる。
【００６１】
また、充電制御部６１は、以下のような制御を行ってもよい。
すなわち、充電制御部６１は、トランジスタ５４及びＦＥＴ５５をＯＮ状態に切り替えて、ＡＣアダプタ１００による充電及び非接触充電を開始する。そして、充電制御部６１は、充電電流値と非接触充電電流値との和が第３閾値Ｅ以上である場合には、トランジスタ５４をＯＦＦ状態に切り替え、かつＦＥＴ５５をＯＮ状態に切り替えて、所定周波数の電磁波による非接触充電を行うように制御する。ここで、第３閾値Ｅは、例えば、充電池４２の電池容量に対応した値とすることが好ましい。
【００６２】
例えば、充電池４２の電池容量が６００ｍＡｈ、ＡＣアダプタ１００から供給される充電電流値が６００ｍＡ、非接触充電電流値が４５０ｍＡである場合に、第３閾値Ｅは、６００ｍＡに設定される。この場合、充電制御部６１は、充電電流値と非接触充電電流値との和（６００ｍＡ＋４５０ｍＡ＝１０５０ｍＡ）が第３閾値Ｅ（６００ｍＡ）以上であるため、トランジスタ５４をＯＦＦ状態に切り替え、かつＦＥＴ５５をＯＮ状態に切り替えて、所定周波数の電磁波による非接触充電を行うように制御する。これにより、携帯電話機１は、ＡＣアダプタ１００による充電及び非接触充電の両方を用いた場合における充電池４２の劣化を抑制することができる。
【００６３】
また、充電制御部６１は、充電電流値が第３閾値Ｅ以上である場合には、トランジスタ５４及びＦＥＴ５５をＯＮ状態に切り替えて、ＡＣアダプタ１００による充電を行うように制御してもよい。
【００６４】
例えば、充電池４２の電池容量が６００ｍＡｈ、ＡＣアダプタ１００から供給される充電電流値が６００ｍＡ、非接触充電電流値が４５０ｍＡである場合に、第３閾値Ｆは、６００ｍＡに設定される。この場合、充電制御部６１は、充電電流値と非接触充電電流値との和（６００ｍＡ＋４５０ｍＡ＝１０５０ｍＡ）が第３閾値Ｅ（６００ｍＡ）以上であるため、トランジスタ５４及びＦＥＴ５５をＯＮ状態に切り替えて、ＡＣアダプタ１００による充電を行うように制御する。これにより、携帯電話機１は、非接触充電よりも充電時間が短いＡＣアダプタ１００による充電を用いて充電時間の短縮を図ることができる。
【００６５】
また、充電制御部６１は、充電電流値と非接触充電電流値との和が第３閾値Ｅを超えない場合には、トランジスタ５４及びＦＥＴ５５をＯＮ状態に切り替え、所定周波数の電磁波による非接触充電及びＡＣアダプタによる充電を行うと共に、所定周波数の電磁波による非接触充電及びＡＣアダプタによる充電のいずれかを制限するように制御してもよい。
【００６６】
例えば、充電池４２の電池容量が６００ｍＡｈ、ＡＣアダプタ１００から供給される充電電流値が１５０ｍＡ、非接触充電電流値が４５０ｍＡである場合に、第３閾値Ｆは、６００ｍＡに設定される。この場合、充電制御部６１は、充電電流値と非接触充電電流値との和（１５０ｍＡ＋４５０ｍＡ＝６００ｍＡ）が第３閾値Ｅ（６００ｍＡ）を超えないため、トランジスタ５４及びＦＥＴ５５をＯＮ状態に切り替え、所定周波数の電磁波による非接触充電及びＡＣアダプタによる充電を行う。ここで、充電制御部６１は、例えば、電源電圧供給回路（図示せず）を制御して、ＡＣアダプタ１００から供給される充電電流値を本来の６００ｍＡではなく、１５０ｍＡに制限する。
【００６７】
また、例えば、充電池４２の電池容量が８００ｍＡｈ、ＡＣアダプタ１００から供給される充電電流値が６００ｍＡ、非接触充電電流値が２００ｍＡである場合に、第３閾値Ｅは、８００ｍＡに設定される。この場合、充電制御部６１は、充電電流値と非接触充電電流値との和（６００ｍＡ＋２００ｍＡ＝８００ｍＡ）が第３閾値Ｅ（８００ｍＡ）を超えないため、トランジスタ５４及びＦＥＴ５５をＯＮ状態に切り替え、所定周波数の電磁波による非接触充電及びＡＣアダプタによる充電を行う。ここで、充電制御部６１は、例えば、電源電圧供給回路（図示せず）を制御して、非接触充電により供給される非接触電流値を本来の４５０ｍＡではなく、２００ｍＡに制限する。
【００６８】
このように、携帯電話機１は、ＡＣアダプタ１００及び非接触充電の両方により電源電圧の供給を受けるため、充電時間を短縮できる。さらに、携帯電話機１は、ＡＣアダプタ１００及び非接触充電の両方により電源電圧の供給を受けるため、充電時の発熱が回路部４６及び充電制御部６１の両方で発生する。したがって、携帯電話機１は、充電時の発熱を回路部４６及び充電制御部６１の両方に分散させることができるため、回路部４６、すなわち、充電池４２の充電時における発熱量を低減できる。
【００６９】
また、充電制御部６１は、充電電流値と非接触充電電流値との和が第３閾値Ｅを超えない場合には、トランジスタ５４及びＦＥＴ５５をＯＮ状態に切り替えて、ＡＣアダプタ１００による充電及び所定周波数の電磁波による非接触充電を行ってもよい。
【００７０】
例えば、充電池４２の電池容量が１２００ｍＡｈ、ＡＣアダプタ１００から供給される充電電流値が６００ｍＡ、非接触充電電流値が４５０ｍＡである場合に、第３閾値Ｅは、１２００ｍＡに設定される。この場合、充電制御部６１は、充電電流値と非接触充電電流値との和（６００ｍＡ＋４５０ｍＡ＝１０５０ｍＡ）が第３閾値Ｅ（１２００ｍＡ）を超えないため、トランジスタ５４及びＦＥＴ５５をＯＮ状態に切り替えて、ＡＣアダプタ１００による充電及び所定周波数の電磁波による非接触充電を行う。これにより、携帯電話機１は、充電池４２の電池容量が大きい場合であっても、ＡＣアダプタ１００及び非接触充電の両方により電源電圧の供給を受けるため、充電時間を短縮できる。
【００７１】
また、充電制御部６１は、トランジスタ５４及びＦＥＴ５５をＯＮ状態に切り替えて、ＡＣアダプタ１００による充電及び所定周波数の電磁波による非接触充電を行っている場合に、トランジスタ５４をＯＮ状態に切り替え、ＦＥＴ５５をＯＦＦ状態に切り替えて、所定周波数の電磁波による非接触充電を行うと共に、携帯電話機本体１ａのシステム側回路部６３へＡＣアダプタ１００により電源電圧を供給するように制御してもよい。これにより、携帯電話機１は、システム側回路部６３へＡＣアダプタ１００により電源電圧を供給するため、非接触充電による充電池４２の充電時間を短縮することができる。
【００７２】
以上、本発明の実施形態について説明したが、本発明は上述した実施形態に制限されるものではなく、適宜変更が可能である。
また、上述した実施形態において、電子機器としての携帯電話機１について説明したが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００７３】
１  携帯電話機（電子機器）
４２  充電池
４３ａ  電池側電源端子
４３ｂ  電池側識別端子
４３ｃ  電池側グランド端子
４４  電池セル（蓄電セル）
４５  保護回路
４６  回路部
４７  非接触充電用コイル（受信用コイル）
４８  ＦＥＴ（電池側切替部）
５３ａ  機器側電源端子
５３ｂ  機器側識別端子
５３ｃ  機器側グランド端子
５４  トランジスタ（第１切替部）
５５  ＦＥＴ（第２切替部）
６１  充電制御部
【図１】
0005749533.tif 000002
【図２】
0005749533.tif 000003
【図３】
0005749533.tif 000004
【図４】
0005749533.tif 000005
【図５】
0005749533.tif 000006
【図６】
0005749533.tif 000007